(57)【要約】【課題】第１サイドカバーのロック又はロック解除状態を使用者が直観的に認知することができ、第１サイドカバーがフレームに仮結合された状態で釣魚をすることを防止でき、使用者が釣りリールをより楽で安全に把持して釣魚をすることができる、パーム側第１サイドカバー用出没式ロックレバーを備えた釣りリールを提供する。【解決手段】スプールが装着されるフレームと、前記フレームのパーム側装着部に結合され、前記スプールのシャフトの一端が軸設される第１サイドカバーと、前記スプールのシャフトの他端が軸設される第２サイドカバーと、前記フレームに対して前記第１サイドカバーが着脱できるように、第１サイドカバーをロック及びロック解除するロックレバーとを含み、前記ロックレバーは、前記第１サイドカバーのロック解除時、第１サイドカバーの表面の外部に突出する作動部を含むパーム側第１サイドカバー用出没式ロックレバーを備えた釣りリール。【選択図】図２
2019033744.tif 000002
【特許請求の範囲】
【請求項１】
スプールが装着されるフレーム；
前記フレームのパーム側装着部に結合され、前記スプールのシャフトの一端が軸設される第１サイドカバー；
前記フレームのギア側装着部に結合され、前記スプールのシャフトの他端が軸設される第２サイドカバー；及び
前記フレームに対して前記第１サイドカバーが着脱できるように、第１サイドカバーをロック及びロック解除するロックレバー；を含んでなり、
前記ロックレバーは、前記第１サイドカバーのロック解除時、第１サイドカバーの表面の外部に突出する作動部を含むことを特徴とする、釣りリール。
【請求項２】
スプールを含むフレーム；
前記フレームのパーム側装着部に結合され、前記スプールのシャフトの一端が軸設される第１サイドカバー；
前記フレームのギア側装着部に結合され、前記スプールのシャフトの他端が軸設される第２サイドカバー；及び
前記フレームに対して前記第１サイドカバーが着脱できるように、第１サイドカバーをロック及びロック解除するロックレバー；を含んでなり、
前記ロックレバーは、前記第１サイドカバーのロック時、第１サイドカバーの表面の内部に収容される作動部を含むことを特徴とする、釣りリール。
【請求項３】
スプールを含むフレーム；
前記フレームのパーム側装着部に結合され、前記スプールのシャフトの一端が軸設される第１サイドカバー；
前記フレームのギア側装着部に結合され、前記スプールのシャフトの他端が軸設される第２サイドカバー；及び
前記フレームに対して前記第１サイドカバーが着脱できるように、第１サイドカバーをロック及びロック解除するロックレバー；を含んでなり、
前記ロックレバーは、第１サイドカバーのロック解除時、第１サイドカバーの表面の外部に突出し、第１サイドカバーのロック時、第１サイドカバーの表面の内部に収容される突出部とロックレバーをロック及びロック解除の方向に動作させる操作部とを含んでなる作動部を含むことを特徴とする、釣りリール。
【請求項４】
スプールを含むフレーム；
前記フレームのパーム側装着部に結合され、前記スプールのシャフトの一端が軸設される第１サイドカバー；
前記フレームのギア側装着部に結合され、前記スプールのシャフトの他端が軸設される第２サイドカバー；及び
前記フレームに対して前記第１サイドカバーが着脱できるように、第１サイドカバーをロック及びロック解除するロックレバー；を含んでなり、
前記ロックレバーは、前記スプールのシャフトと同軸上で回動して第１サイドカバーの表面の内外部に出没する作動部を含んでなり、第１サイドカバーのロック解除時、第１サイドカバーの表面の外部に前記作動部が突出し、第１サイドカバーのロック時、第１サイドカバーの表面の内部に前記作動部が収容されることを特徴とする、釣りリール。
【発明の詳細な説明】
【技術分野】
【０００１】
本発明は、パーム側第１サイドカバー用出没式ロックレバーを備えた釣りリールに関する。より詳しくは、第１サイドカバーのロック解除状態でロックレバーの作動部が第１サイドカバーの表面の外部に突出することにより、使用者が釣りリールを把持したとき、第１サイドカバーのアンロック状態が即時分かるとともに、第１サイドカバーのロック状態でロックレバーの作動部が第１サイドカバーの表面の内部に収容されることにより、使用者が違和感なしに釣りリールを把持して釣魚を実施することができる、パーム側第１サイドカバー用出没式ロックレバーを備えた釣りリールに関する。
【背景技術】
【０００２】
一般に、ベイトキャスティングリール（以下、釣りリールと通称する）は、スプールの制動方式によるブレーキダイヤル又はテンションナットの作動構造などに違いがあるだけであり、大体は、スプールが装着されたフレーム、前記フレームの一側面に結合されたパーム（ｐａｌｍ）側第１サイドカバー、前記フレームの他側面に結合されたギア（ｇｅａｒ）側第２サイドカバー、及び前記第２サイドカバーに備えられたハンドルを含んでなる。
このような釣りリールでは、相対的に開閉頻度の低い第２サイドカバーは、ボルティング結合などによってフレームに堅固に結合される。反面、第１サイドカバーは、平地帯だけではなく、磯などやその他の非平地帯で釣魚を行う場合、釣りリールの維持補修などのためにスプールを分離するとかあるいはバックラッシュの防止のために遠心ブレーキタイプのブレーキシューの位置を調整するなどの多様な状況で開閉され、相対的に開閉頻度が高い。そこで、釣りリールは、第１サイドカバーを開放して分離した後、再結合して釣魚を再開することができる構造を採用している。そして、第１サイドカバーの開閉のため、多様な着脱構造が採用されている。
【０００３】
例えば、大韓民国特許登録第１０−１５３４２７３号（特許文献１）に開示されているように、第１サイドカバーに備えられたロック用レバーを用いて第１サイドカバーのロック及びロック解除を行う方式がある。
特許文献１の方式では、第１サイドカバーのロック手段として、カバー内側のスプールカバーを回動させてカバーをロック状態又はアンロック状態に転換させるロック用レバーを含んでなり、カバーのロック状態の転換に関係なくロック用レバーが常時突出して露出される構造である。この構造では、釣りリールを把持するとき、ロック用レバーの干渉が発生するため、釣りリールを楽で安全に把持することができない。さらに、釣魚を実施するとき、意図に反してロック用レバーが回転作動して第１サイドカバーの分離及びこれによる部品の損傷又は紛失の危険性が高いとの問題がある。
【０００４】
このような問題点を解決するためのものとして、大韓民国特許公開第１０−２０１７−００８４９９９号（特許文献２）に記載の方式がある。
特許文献２の方式は、第１サイドカバーに対応するサイドプレートの側面に開口部が形成され、この開口部の内部に、サイドプレートをフレームに対して開閉可能にする開閉機構の操作部材が配置され、操作部材がサイドプレートの外部に突出せずに内部に収容された状態で露出され、使用者が必要時に開口部に指などを入れて操作部材を作動する方式である。
特許文献２の方式によれば、前記特許文献１の方式の問題点を解決することができるものの、サイドプレートのロック状態を使用者が直観的に確認乃至認知することができないため、サイドプレートを分離した後に再結合したとき、使用者の間違い又は錯覚によってサイドプレートをロックしない状態で釣魚をして、サイドプレートが分離される危険性がある。
すなわち、一般的な釣りリールは、ロック解除状態でも第１サイドカバーがフレームに仮結合された状態が維持されるので、特許文献２の方式の場合、操作部材で第１サイドカバーのロックを実施しなかったままで釣魚を再開する場合が発生し、釣魚中に第１サイドカバーがフレームから分離されて離脱する状況が発生しやすい問題点がある。
【先行技術文献】
【特許文献】
【０００５】
【特許文献１】大韓民国特許登録第１０−１５３４２７３号公報
【特許文献２】大韓民国特許公開第１０−２０１７−００８４９９９号公報
【発明の概要】
【発明が解決しようとする課題】
【０００６】
本発明は、前述したような問題点を解決するためになされたもので、第１サイドカバーのロック又はロック解除状態を、使用者が特別に注意する必要なしに直観的にすぐ確認ないし認知することができ、第１サイドカバーがフレームに仮結合された状態で釣魚を実施することを防止するとともに、第１サイドカバーのロック状態でも釣りリール特有の形状を損なわないので、使用者が釣りリールをより楽で安全に把持して釣魚を実施することができるようにする、パーム側第１サイドカバー用出没式ロックレバーを備えた釣りリールを提供することを目的とする。
【課題を解決するための手段】
【０００７】
上記目的を達成するために、本発明による釣りリールは、スプールが装着されるフレーム；前記フレームのパーム側装着部に結合され、前記スプールのシャフトの一端が軸設される第１サイドカバー；前記フレームのギア側装着部に結合され、前記スプールのシャフトの他端が軸設される第２サイドカバー；及び前記フレームに対して前記第１サイドカバーが着脱できるように、第１サイドカバーをロック及びロック解除するロックレバー；を含んでなり、
前記ロックレバーは、前記第１サイドカバーのロック解除時、第１サイドカバーの表面の外部に突出する作動部を含むことを特徴とする。
【０００８】
また、本発明による釣りリールは、スプールを含むフレーム；前記フレームのパーム側装着部に結合され、前記スプールのシャフトの一端が軸設される第１サイドカバー；前記フレームのギア側装着部に結合され、前記スプールのシャフトの他端が軸設される第２サイドカバー；及び前記フレームに対して前記第１サイドカバーが着脱できるように、第１サイドカバーをロック及びロック解除するロックレバー；を含んでなり、
前記ロックレバーは、前記第１サイドカバーのロック時、第１サイドカバーの表面の内部に収容される作動部を含むことを特徴とする。
【０００９】
また、本発明による釣りリールは、スプールを含むフレーム；前記フレームのパーム側装着部に結合され、前記スプールのシャフトの一端が軸設される第１サイドカバー；前記フレームのギア側装着部に結合され、前記スプールのシャフトの他端が軸設される第２サイドカバー；及び前記フレームに対して前記第１サイドカバーが着脱できるように、第１サイドカバーをロック及びロック解除するロックレバー；を含んでなり、
前記ロックレバーは、第１サイドカバーのロック解除時、第１サイドカバーの表面の外部に突出し、第１サイドカバーのロック時、第１サイドカバーの表面の内部に収容される突出部と、ロックレバーをロック及びロック解除の方向に動作させる操作部とを含んでなる作動部を含むことを特徴とする。
【００１０】
また、本発明による釣りリールは、スプールを含むフレーム；前記フレームのパーム側装着部に結合され、前記スプールのシャフトの一端が軸設される第１サイドカバー；前記フレームのギア側装着部に結合され、前記スプールのシャフトの他端が軸設される第２サイドカバー；及び前記フレームに対して前記第１サイドカバーが着脱できるように、第１サイドカバーをロック及びロック解除するロックレバー；を含んでなり、
前記ロックレバーは、前記スプールのシャフトと同軸上で回動して第１サイドカバーの表面の内外部に出没する作動部を含んでなり、
第１サイドカバーのロック解除時、第１サイドカバーの表面の外部に前記作動部が突出し、
第１サイドカバーのロック時、第１サイドカバーの表面の内部に前記作動部が収容されることを特徴とする。
【発明の効果】
【００１１】
本発明によるパーム側第１サイドカバー用出没式ロックレバーを備えた釣りリールは、第１サイドカバーのロック解除状態で第１サイドカバーがフレームに仮結合されているとき、第１サイドカバーの表面の外部にロックレバーの作動部が突出しているので、釣りリールを把持したとき、使用者の手が作動部と接触又は干渉して使用者に違和感を与えて、使用者が第１サイドカバーのロック解除状態を直観的にすぐ確認ないし認知することができ、よって第１サイドカバーが仮結合状態で釣魚を実施することを防止して、第１サイドカバーの分離及び離脱、そしてそれによる部品の破損又は紛失を予防することができる。一方、第１サイドカバーのロック状態では、ロックレバーの作動部が第１サイドカバーの表面の内部に収容されるので、釣りリール特有の形状による把持感（グリップ感）を損なうことなく使用者がより楽で安全に釣りリールを把持した状態で釣魚を実施することができる効果がある。
【００１２】
また、本発明によるパーム側第１サイドカバー用出没式ロックレバーを備えた釣りリールは、ロックレバーの作動部が第１サイドカバーの表面の内外部に出没することと連動して第１サイドカバーのロック及びロック解除作動が行われるので使用が便利であるだけでなく、ロックレバーの作動部がスプールシャフトと同軸上で回転するように構成されてロックレバーのための内部結合構造を簡素化することにより、特別な設計変更の必要なしに多様な形態の釣りリールにロックレバーをより容易に適用することができ、量産性を高めることができる効果がある。
【００１３】
また、本発明によるパーム側第１サイドカバー用出没式ロックレバーを備えた釣りリールは、釣りリールを把持するときの指の位置を勘案した構造設計によって、ロックレバーの作動及び第１サイドカバーの分離後の再結合をより易しくて早く実施することができる効果がある。
【図面の簡単な説明】
【００１４】
【図１】本発明による釣りリールの平面図である。
【図２】本発明による第１実施例を示す側面図である。
【図３】本発明による第２実施例を示す側面図である。
【図４】本発明による第３実施例を示す側面図である。
【発明を実施するための形態】
【００１５】
本発明は多様な変更を加えることができ、いろいろの形態を有することができる。これから、具現例（態様、ａｓｐｅｃｔ）、（又は実施例）を本文に詳細に説明しようとする。しかし、これは本発明を特定の開示形態に限定しようとするものではなく、本発明の思想及び技術範囲に含まれる全ての変更、均等物ないし代替物を含むものに理解しなければならない。
【００１６】
各図において同一の参照符号、特に十の桁及び一の桁、又は十の桁、一の桁及びアルファベットが同じな参照符号は同一又は類似の機能を有する部材を示し、特に言及がない場合、図面の各参照符号が指称する部材はこのような基準に準ずる部材に把握すれば良い。
また、各図において、構成要素は理解の便宜上サイズや厚さを誇張して大きく（又は厚く）あるいは小さく（又は薄く）表現するとか単純化して表現しているが、これによって本発明の保護範囲が制限されて解釈されてはいけない。
【００１７】
本明細書で使用した用語はただ特定の具現例（態様、ａｓｐｅｃｔ）、（又は実施例）を説明するために使用されたもので、本発明を限定しようとする意図ではない。単数の表現は文脈上特に明記しない限り、複数の表現を含む。
本出願において、「含む」又は「なる」などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解されなければならない。
【００１８】
特に定義がない限り、技術的ないし科学的な用語を含み、ここで使われる全ての用語は本発明が属する技術分野で通常の知識を有する者によって一般的に理解されるものと同一の意味を持っている。一般的に使われる辞書に定義されているもののような用語は関連技術が文脈上有する意味と一致する意味を有するものに解釈されなければならず、本出願において明らかに定義しない限り、理想的なあるいは過度に形式的な意味に解釈されない。
本明細書で記述する〜第１〜、〜第２〜などは互いに異なる構成要素を区分するためのものであるだけ、製造手順を限定するものではなく、発明の詳細な説明及び請求範囲でその名称が一致しないこともあり得る。
【００１９】
本発明による釣りリールの説明において、便宜のために厳密ではない大略の方向基準を図１、図２を参照して特定すると、フレーム１０のラインガイド１８の正面を見る方向を基準として重力が作用する方向を下側とし、見える方向を基準として上下左右を決定し、他の図に基づく発明の詳細な説明及び請求範囲でも特に他の言及がない限り、この基準によって方向を特定して記述する。
以下では本発明によるパーム側第１サイドカバー用出没式ロックレバーを備えた釣りリールを添付図面に基づいて説明する。
【００２０】
本発明はパーム側第１サイドカバーをロック及びロック解除するロックレバーを含む釣りリールに関するもので、図１〜図４に示したように、スプール１１が装着されるフレーム１０；前記フレーム１０のパーム側装着部に結合され、前記スプール１１のシャフト１２の一端が軸設される第１サイドカバー２０；前記フレーム１０のギア側装着部に結合され、前記スプール１１のシャフト１２の他端が軸設される第２サイドカバー３０；及び前記フレーム１０に対して前記第１サイドカバー２０が着脱できるように、第１サイドカバー２０をロック及びロック解除するロックレバー４０；を含んでなる。
【００２１】
より具体的に、本発明の釣りリールは、フレーム１０の両外側面にパーム側第１サイドカバー２０とギア側第２サイドカバー３０がそれぞれ結合され、シャフト１２が第１及び第２サイドカバー２０、３０の両側軸設部に結合されて釣り糸を巻き取るスプール１１が回転可能にフレーム１０に装着され、フレーム１０のパーム側装着部の内部にはスプール１１の回転制動力を提供する各種のブレーキ手段１３とスプールカバー１４が第１サイドカバー２０によって内蔵され、フレーム１０のギア側装着部の内部にはスプール１１のシャフト１２とハンドル１７の連動及びスタードラッグ１５とテンションナット１６などの作動のためのドライブギアなどの各種の部品が第２サイドカバー３０によって内蔵され、第２サイドカバー３０の外側に回転軸に結合されたハンドル１７が備えられ、ハンドル１７とスプール１１が連動して回転する。
また、前記第１サイドカバー２０とフレーム１０のパーム側装着部の間には第１サイドカバー２０をロック及びロック解除するロックレバー４０が備えられる。このようなロックレバー４０は、第１サイドカバー２０の内側面に備えられたスプールカバー１４に結合され、第１サイドカバー２０とともにフレーム１０に対して着脱される。
【００２２】
未説明図面符号２１及び２２は、突出部４１ａと操作部４１ｂが第１サイドカバー２０の外部に露出するようにする第１及び第２開口部である。
このような釣りリールは、後述する本発明の核心的な構成を阻害しない限度内で公知の釣りリール、特にベイトキャスティングリールに適用可能な全ての種類の部品を含むことができる。
【００２３】
図２〜図４に示したパーム側の側面図に基づいて本発明の核心を説明すると、まず前記ロックレバー４０は、前記第１サイドカバー２０のロック解除時、第１サイドカバー２０の表面の外部に突出する作動部４１を含むことを特徴とする。
また、前記ロックレバー４０は、前記第１サイドカバー２０のロック時、第１サイドカバー２０の表面の内部に収容される作動部４１を含むことを特徴とする。
そして、前記ロックレバー４０は、第１サイドカバー２０のロック解除時、第１サイドカバー２０の表面の外部に突出し、第１サイドカバー２０のロック時、第１サイドカバー２０の表面の内部に収容される突出部４１ａと、ロックレバー４０をロック及びロック解除の方向に動作させる操作部４１ｂとからなる作動部４１を含むことを特徴とする。
また、前記ロックレバー４０は、前記スプール１１のシャフト１２と同軸上で回動して第１サイドカバー２０の表面の内外部に出没する作動部４１を含んでなり、第１サイドカバー２０のロック解除時、第１サイドカバー２０の表面の外部に前記作動部４１が突出し、第１サイドカバー２０のロック時、第１サイドカバー２０の表面の内部に前記作動部４１が収容されることを特徴とする。
【００２４】
これをより具体的に説明すると、前記作動部４１はロックレバー４０のロック又はロック解除の方向への動作を転換させるのに使われるもので、図２（ａ）、（ｂ）に示される例のように、突出部４１ａと操作部４１ｂが互いに離隔して構成されることもでき、図３（ａ）、（ｂ）及び図４（ａ）、（ｂ）に示される例のように、突出部４１ａと操作部４１ｂが一体に連結されて構成されることもできる。
【００２５】
ここで、ロックレバー４０は、突出部４１ａが第１サイドカバー２０の表面の内外部に出没するように構成されるので、ロックレバー４０による第１サイドカバー２０のロック及びロック解除の作動が連動して行われる。
すなわち、作動部４１をロック方向に操作するとき、ロックレバー４０のロック解除状態が同時に解除され、作動部４１をロック解除方向に操作するとき、ロックレバー４０のロック状態が同時に解除され、作動部４１の方向転換によって突出部４１ａが第１サイドカバー２０の第１開口部２１を通じて出没する。すなわち、第１サイドカバー２０のロック解除状態では、突出部４１ａが第１サイドカバー２０の表面の外部に突出し、第１サイドカバー２０のロック状態では、突出部４１ａが第２サイドカバー３０の表面の内部に収容される。
【００２６】
また、前記突出部４１ａは、別個の作動軸で結合されるなど第１サイドカバー２０をフレーム１０のパーム側装着部に固定させるロックレバー４０の具体的なロック構造によって、多様な形態に具現されることができる（例えば、ボタンやピンの形態を有し、ロックレバー４０のロック解除作動時、第１サイドカバー２０から突出するとか回動する方式など）。本発明は、ロックレバー４０の作動部４１を第１サイドカバー２０の内外部に出没する突出部４１ａで構成して内部構造を簡素化した。
【００２７】
具体的に、図２〜図４のように、前記ロックレバー４０は、スプールカバー１４を円周方向に取り囲むリング部４２に連結され、ロックレバー４０の前後回動によってリング部４２が前後に回転するにつれて、リング部４２の外側面から突設されたロック突起４２ａがフレーム１０のロック溝（図示せず）に選択的に係合又は係合解除されるロッキング構造を有する。
この場合、図２（ａ）、（ｂ）のように、前記リング部４２の円周面に沿って相異なる角度で配置されるように前記リング部４２で互いに離隔している突出部４１ａと操作部４１ｂで作動部４１を構成することにより、ロックレバー４０をロック方向（図面上の時計方向）に回転作動させるときには前記突出部４１ａ及び／又は操作部４１ｂを使い、ロックレバー４０をロック解除方向（図面上の反時計方向）に回転動作させるときには前記操作部４１ｂを使うことができる。
【００２８】
そして、図３（ａ）、（ｂ）及び図４（ａ）、（ｂ）のように、前記突出部４１ａと前記突出部４１ａの表面から突出した突起状の操作部４１ｂで作動部４１を構成することで、ロック解除時には前記操作部４１ｂを用いてロック解除方向にロックレバー４０を回転させ、ロック時には突出部４１ａ又は操作部４１ｂを用いてロック方向にロックレバー４０を回転させることができる。
【００２９】
また、別途の操作部４１ｂなしに突出部４１ａのみで作動部４１を構成（すなわち、第１実施例において操作部４１ｂを省略した形態）することで、ロック解除時に突出部４１ａとフレーム１０間の隙間を用いてロックレバー４０を回転させ、ロック時に突出した突出部４１ａを用いてロックレバー４０を回転させることもできる。
すなわち、回転可能に結合されたリング部４２において、突出部４１ａと操作部４１ｂを互いに離隔させて別個に構成するとか、リング部４２において、突出部４１ａと操作部４１ｂを一体化して構成することができる。
【００３０】
本発明では、作動部４１の方向転換によって作動部４１（より厳密には突出部４１ａ）が第１サイドカバー２０の第１開口部２１を通じて出没することで、第１サイドカバー２０のロック解除状態で突出部４１ａが第１サイドカバー２０の表面の外部に突出し、第１サイドカバー２０のロック状態で突出部４１ａが第２サイドカバー３０の表面の内部に収容される。
【００３１】
このような構造を有する本発明の釣りリールは、第１サイドカバー２０をフレーム１０に仮結合した状態でロックレバー４０のロック解除状態をロック状態に転換しなかった場合、すなわちロックレバー４０をロック方向に操作しなかった場合、釣りリールを把持したとき、突出した作動部４１（突出部４１ａ）によって使用者に違和感が伝達される。そして、第１サイドカバー２０がロック解除状態であることを即時認知するようにしてロック作動を誘導することにより、使用者が間違い又は操作未熟により第１サイドカバー２０をロックしなかった状態で釣魚を実施して第１サイドカバー２０が分離及び離脱されることを防止することができる。
また、第１サイドカバー２０のロック状態、すなわちロックレバー４０のロック方向への操作を完了した状態では、作動部４１が第１サイドカバー２０の内部に収容されることにより、釣りリールを把持したとき、釣りリール特有の外観と違うことによる違和感を与えないので、使用者がより楽で安全に釣りリールを把持した状態で釣魚を実施することができる。
【００３２】
また、本発明は、前述したようにスプールカバー１４を取り囲むリング部４２の円周面上に作動部４１（突出部４１ａと操作部４１ｂが互いに離隔して分離されている構造を含む）を連結することにより、作動部４１がスプールシャフト１２と同軸上で回転して出没する構造を採択して製作の便宜性を確保することができる。
【００３３】
また、本発明では、スプールシャフト１２の軸方向を中心とする上下垂直線ＶＬと前後水平線ＨＬに区分される４方向を基準として、前記作動部４１（第１実施例では突出部４１ａのみ）は後方上側に配置されることで、前記第１サイドカバー２０のロック解除状態で、突出した作動部４１が前記前後水平線ＨＬより上側に配置されることを特徴とする。
ここで、第１実施例では、操作部４１ｂが前方下側及び後方下側の間に配置され、第２及び第３実施例では、第１サイドカバー２０のロック状態で、操作部４１ｂが前記前後水平線ＨＬと重畳するとか前後水平線ＨＬより下側に配置される。
【００３４】
このような方向配置構造を導入する場合、右利きを基準として、ロック解除によって突出した突出部４１ａが釣りリールを把持した使用者の左手の母指と対応する地点に位置するので、第１サイドカバー２０を仮結合した状態でロックされていないことを使用者がすぐ直観的に確認することができ、第１サイドカバー２０を仮結合した後、左手の母指で突出部４１ａを後方下側に押してロックレバー４０をロック方向にすぐ動作させることができるので便利である。
【００３５】
それだけでなく、第１実施例においては、操作部４１ｂは釣りリールの下側に配置されているから、釣りリールの下部に結合された釣り竿を把持した残りの指により操作部４１ｂが手に接触することはなく、第２及び第３実施例においては、操作部４１ｂは釣りリールの後方側に完全に偏っているから、操作部４１ｂが常時突出していても使用者の把持感を損なわなくて釣りリールをより楽で安全に把持して使うことができるようになる。
この場合、第２及び第３実施例において、操作部４１ｂの高さを指先がかかるほどに微細に形成するとか、操作部４１ｂに傾斜度を与えて違和感を無くすことができるのはもちろんのこと、前述したように操作部４１ｂの省略も可能である。
【００３６】
一方、ロックレバー４０をロック解除方向に動作させるとき、これに連動して前記突出部４１ａが第１サイドカバー２０の表面の外部に突出するように、前記第１サイドカバー２０は側面形状が前後に長く形成された楕円形に形成され、前記ロックレバー４０は、外側端４３ａが前記突出部４１ａに連結され、内側端４３ｂがリング部４２に連結された連結部４３を含む。
前記突出部４１ａは第１サイドカバー２０の円周面表面の曲率と同一であるとともに第１開口部２１と対応する形態を有するように、連結部４３の外側端４３ａから上側前方に流線形に連結される。
【００３７】
このような構造のロックレバー４０はスプールシャフト１２の軸方向を中心として回転動作するので、ロックレバー４０がロック作動したとき、突出部４１ａが第１開口部２１を密閉しながら収容されるので、突出部４１ａが第１サイドカバー２０の円周面の一部を形成することにより突出せず、ロックレバー４０がロック解除されたとき、突出部４１ａが回動して自然に第１サイドカバー２０の表面の外部に突出する。
また、前記連結部４３は、内側端４３ｂに対して外側端４３ａがロックレバー４０のロック方向に偏っており、外側端４３ａと内側端４３ｂが互いにずれた状態で平行に配列されるように連結（すなわち、ロックレバー４０の回転中心（スプールシャフト１２）に対して外側端４３ａと内側端４３ｂが互いに異なる角度で連結）されることによって連結部４３の外側端４３ａと内側端４３ｂの下側面の間に係合部４５が形成されるので、ロックレバー４０がロック作動するとき、スプールカバー１４を固定させるボルト結合部１４ａが前記係合部４５に挿入されて係合されることによってロックレバー４０のストッピング及び支持がなされる。
【００３８】
ここで、連結部４３は、図２（ａ）、（ｂ）のように、外側端４３ａと内側端４３ｂが曲線形に連結される、又は、図３（ａ）、（ｂ）のように、外側端４３ａと内側端４３ｂが直線形に連結されることができる。
この場合、突出部４１ａの下側端が第１開口部２１の下部内側面２１ａにかかって支持されるので、係合部４５とボルト結合部１４ａ間の係合構造とともに２段構造によってロックレバー４０のストッピング及び支持がなされる。このことによりロックレバー４０のロック状態をより安定的に維持することができる。
【００３９】
また、前述した連結部４３の構造によって、突出部４１ａと連結部４３の内側面の間には挿入溝４４が形成され、前記第１サイドカバー２０は第１開口部２１の上側から前方内側に所定の角度で折り曲げられて伸びた挿入端２３を含んでなるので、ロックレバー４０がロック解除されるとき、前記挿入端２３が前記挿入溝４４に挿入される。
ここで、図２（ａ）、（ｂ）のように、挿入端２３と挿入溝４４の幅を同じにすると、ロックレバー４０がロック解除されたとき、挿入端２３と挿入溝４４間の挿入構造によってロックレバー４０のガイド及びストッピングがなされるとともに、挿入端２３と挿入溝４４間の締まりばめによってロックレバー４０のロック解除状態が維持される。
【００４０】
また、図３（ａ）、（ｂ）及び図４（ａ）、（ｂ）のように、挿入溝４４の幅を挿入端２３の幅より広く形成するとともに挿入端２３を連結部４３の直線部の外側面に対応して接触可能な角度で連結するとかあるいは挿入端２３を突出部４１ａの内側面に対応して接触可能な角度で連結すれば、ロックレバー４０の前後方向への回動時、連結部４３の直線部外側面又は突出部４１ａの内側面が挿入端２３に接触することによってロックレバー４０の作動をガイドすることができる。
ここで、ロックレバー４０のロック解除方向への作動によるストッピングは、図３（ａ）、（ｂ）のように、第１サイドカバー２０と連結部４３の内側端４３ｂ間の接触、又は図４（ａ）、（ｂ）のように、挿入端２３と連結部４３の外側端４３ａ間の接触によってなされる。
【００４１】
以上の本発明の説明において添付図面に基づいて特定の形状及び構造を、パーム側第１サイドカバー用出没式ロックレバーを備えた釣りリールを主として説明したが、本発明は当業者によって多様な修正、変更及び置換が可能であり、このような修正、変更及び置換は本発明の保護範囲に属するものと解釈されなければならない。
【符号の説明】
【００４２】
１０          フレーム
１１          スプール
１２          シャフト
１３          ブレーキ手段
１４          スプールカバー
１５          スタードラッグ
１６          テンションナット
１７          ハンドル
１８          ラインガイド
２０          第１サイドカバー
２１、２２    開口部
２３          挿入端
３０          第２サイドカバー
４０          ロックレバー
４１          作動部
４１ａ        突出部
４１ｂ        操作部
４２          リング部
４２ａ        ロック突起
４３          連結部
４４          挿入溝
４５          係合部
【図１】
2019033744.tif 000003
【図２】
2019033744.tif 000004
【図３】
2019033744.tif 000005
【図４】
2019033744.tif 000006